(57)【要約】      （修正有）【課題】直感的に操作することができる制御装置及び制御システムを提供する。【解決手段】制御システム１は、操作対象を表示する表示装置５と、表示装置５の表示画面８７０の構成と対応した入力領域の構成を有する入力装置２と、制御装置６と、を備える。この制御装置６は、操作対象が表示された表示装置５の表示画面の構成と対応した入力領域の構成となるように入力装置２を制御する制御部６０を備える。【選択図】図１
2020160790.tif 000002
【特許請求の範囲】
【請求項１】
操作対象が表示された表示装置の表示画面の構成と対応した入力領域の構成となるように入力装置を制御する制御部を備えた制御装置。
【請求項２】
前記表示画面は、第１の表示領域と、前記第１の表示領域と異なる操作を受け付ける第２の表示領域と、を有する構成を備え、
前記制御部は、前記入力領域が、前記第１の表示領域に対応した操作を受け付ける第１の入力領域と、前記第２の表示領域に対応した操作を受け付ける第２の入力領域と、を備える構成となるように前記入力装置を制御する、
請求項１に記載の制御装置。
【請求項３】
前記制御部は、前記第２の入力領域を前記入力装置の操作面の外縁に沿って異なる機能を割り付けた複数の入力領域に分割する、
請求項２に記載の制御装置。
【請求項４】
前記操作対象が表示された前記表示装置と、
前記表示装置の前記表示画面の構成と対応した前記入力領域の構成を有する前記入力装置と、
請求項１乃至３のいずれか１項に記載の前記制御装置と、
を備えた制御システム。
【発明の詳細な説明】
【技術分野】
【０００１】
本発明は、制御装置及び制御システムに関する。
【背景技術】
【０００２】
従来の技術として、車両に設けられ、運転手の操作による入力内容を該車両内に設けられた表示部に表示する入力装置が知られている（例えば、特許文献１参照。）。
【０００３】
この入力装置は、車両のステアリングホイールに設けられたタッチパッドを備えている。
【先行技術文献】
【特許文献】
【０００４】
【特許文献１】特開２０１８−１２７０１３号公報
【発明の概要】
【発明が解決しようとする課題】
【０００５】
画面を直接タッチするようなタッチパネルではない遠隔操作系の場合、表示画面の画面構成にタッチパッドが対応していないと直感的な操作が難しい。
【０００６】
従って本発明の目的は、直感的に操作することができる制御装置及び制御システムを提供することにある。
【課題を解決するための手段】
【０００７】
本発明の一態様は、操作対象が表示された表示装置の表示画面の構成と対応した入力領域の構成となるように入力装置を制御する制御部を備えた制御装置を提供する。
【発明の効果】
【０００８】
本発明によれば、直感的に操作することができる。
【図面の簡単な説明】
【０００９】
【図１】図１（ａ）は、実施の形態に係る車両内部の一例を示す概略図であり、図１（ｂ）は、制御システムのブロック図の一例である。
【図２】図２（ａ）は、実施の形態に係る表示装置の投影領域の一例を示す概略図であり、図２（ｂ）は、ステアリングの一例を示す概略図である。
【図３】図３（ａ）は、実施の形態に係る左側のタッチパッドユニットの一例を示す概略図であり、図３（ｂ）は、右側のタッチパッドユニットの一例を示す概略図である。
【図４】図４（ａ）は、実施の形態に係る制御システムの図２（ａ）に示す左表示領域が画面遷移して表示された表示画面の一例であり、図４（ｂ）は、画面遷移後の表示画面に対応する左側のタッチパッドの一例であり、図４（ｃ）は、図２（ａ）に示す右表示領域が画面遷移して表示された表示画面の一例であり、図４（ｄ）は、画面遷移後の表示画面に対応する右側のタッチパッドの一例を示す概略図である。
【図５】図５は、実施の形態に係る制御システムの動作の一例を示すフローチャートである。
【発明を実施するための形態】
【００１０】
（実施の形態の要約）
実施の形態に係る制御装置は、操作対象が表示された表示装置の表示画面の構成と対応した入力領域の構成となるように入力装置を制御する制御部を備えて概略構成されている。
【００１１】
この制御装置は、入力領域を制御して表示画面に対応させるので、表示画面と入力領域とが対応していない場合と比べて、入力領域に対する視線の移動を抑えながら直感的に操作することができる。
【００１２】
[実施の形態]
（制御システム１の概要）
以下に記載する実施の形態に係る各図において、図形間の比率は、実際の比率とは異なる場合がある。また図１（ｂ）では、主な信号や情報の流れを矢印で示している。
【００１３】
制御システム１は、図１（ａ）〜図２（ｂ）に示すように、操作対象を表示する表示装置５と、表示装置５の表示画面の構成と対応した入力領域の構成を有する入力装置２と、制御装置６と、を備えて概略構成されている。
【００１４】
この制御装置６は、操作対象が表示された表示装置５の表示画面の構成と対応した入力領域の構成となるように入力装置２を制御する制御部６０を備えて概略構成されている。
【００１５】
この制御システム１は、例えば、車両８の車載装置を操作対象装置８９として操作することができるように構成されている。この車載装置とは、一例として、音楽及び映像再生装置、ナビゲーション装置、電動シート装置、クルーズコントロール装置、レーンキープ装置、自動運転装置、車両８に関する各種設定を行うことができる車両制御装置などである。
【００１６】
車両８は、一例として、図１（ａ）に示すように、メータパネル８３に配置されたメータディスプレイ８４、センターコンソール８１ｂに配置されたメインディスプレイ８６、インストルメントパネル８１ｃに配置され、フロントガラス８８の投影領域に表示対象を投影するヘッドアップディスプレイ８７、及びフロントガラス８８に配置されたルームミラーモニタ８８０などの表示装置を備えている。
【００１７】
制御システム１は、これらのうち、少なくとも１つの表示装置に階層式のＧＵＩの表示画面を表示させるように構成されている。本実施の形態の制御システム１は、例えば、図２（ａ）に示すように、表示装置５としてヘッドアップディスプレイ８７の投影領域にＧＵＩの表示画面を表示させるように構成されている。以下では、投影領域は、表示画面８７０と記載する。このＧＵＩの表示画面８７０には、制御システム１によって制御可能な機能や設定値が画像として表示される。従って制御システム１は、入力装置２と表示装置５とが離れた遠隔操作システムである。
【００１８】
この表示画面８７０は、第１の表示領域と、第１の表示領域と異なる操作を受け付ける第２の表示領域と、を有する構成を備えている。制御部６０は、入力領域が、第１の表示領域に対応した操作を受け付ける第１の入力領域と、前記第２の表示領域に対応した操作を受け付ける第２の入力領域と、を備える構成となるように入力装置２を制御する。
【００１９】
より具体的には、表示画面８７０は、表示される表示画面８７０に応じて操作方法が異なる第１の表示領域と、表示画面８７０が遷移しても操作方法が変わらない第２の表示領域と、を有する構成を備えている。そして制御部６０は、入力領域が、第１の表示領域に対応した操作を受け付ける第１の入力領域と、第２の表示領域に対応した操作を受け付ける第２の入力領域と、を備える構成となるように入力装置２を制御する。
【００２０】
本実施の形態の表示画面８７０は、図２（ａ）に示すように、第１の表示領域がメニュー表示領域８７４及びメニュー表示領域８７６であり、第２の表示領域がダイレクト表示領域８７５及びダイレクト表示領域８７７である。
【００２１】
本実施の形態の入力領域は、後述するタッチパッド３の操作面３０ａである。この操作面３０ａは、第１の入力領域が後述するメニュー入力領域３０１であり、第２の入力領域が後述するダイレクト入力領域３０２である。
【００２２】
（入力装置２の構成）
本実施の形態の入力装置２は、図１（ｂ）に示すように、タッチパッドユニット２ａ及びタッチパッドユニット２ｂを備えている。
【００２３】
このタッチパッドユニット２ａ及びタッチパッドユニット２ｂは、例えば、図２（ｂ）に示すように、ステアリング８５の左右のスポーク部（スポーク部８５１及びスポーク部８５２）に配置されている。このスポーク部８５１及びスポーク部８５２は、警報機やエアバッグなどが配置された基部８５０と、ユーザが把持するリング部８５３と、を連結するものである。またスポーク部８５１及びスポーク部８５２は、例えば、図２（ｂ）に示すように、車両８が直進する状態のステアリング位置において略水平に伸びて基部８５０とリング部８５３とを連結している。
【００２４】
タッチパッドユニット２ａ及びタッチパッドユニット２ｂは、ユーザがリング部８５３とスポーク部８５１及びスポーク部８５２との連結部分周辺を把持した状態で操作可能となっている。なお制御システム１は、タッチパッドユニット２ａ及びタッチパッドユニット２ｂのいずれか一方を備える構成であっても良い。
【００２５】
また入力装置２は、表示画面８７０の構成に対応した入力領域とされるものであればタッチパッドユニット２ａ及びタッチパッドユニット２ｂに限定されず、運転席８０ａと助手席８０ｂの間に位置するフロアコンソール８１ａのタッチパッド８２を用いて構成されても良いし、センターコンソール８１ｂやドアトリム８１ｄに配置されたタッチパッドを用いても良い。
【００２６】
タッチパッドユニット２ａ及びタッチパッドユニット２ｂは、それぞれがタッチパッド３及びスイッチ４を備えて概略構成されている。ユーザは、タッチパッドユニット２ａ及びタッチパッドユニット２ｂを用いて操作対象装置８９の複数の機能を操作する。
【００２７】
（タッチパッド３の構成）
タッチパッドユニット２ａのタッチパッド３は、図３（ａ）及び図３（ｂ）に示すように、矩形の操作面３０ａを有する本体３０を備えている。タッチパッドユニット２ｂのタッチパッド３は、一例として、図３（ｂ）に示すように、タッチパッドユニット２ａのタッチパッド３と同形状とされている。なおタッチパッド３の形状は、これに限定されない。以下では、主にタッチパッドユニット２ａについて説明する。
【００２８】
タッチパッド３は、操作面３０ａに対するタッチ入力、なぞり操作及びフリック操作などを検出するように構成されている。タッチパッド３は、例えば、抵抗膜方式や静電容量方式などのタッチパッドを用いることが可能である。本実施の形態のタッチパッド３は、一例として、静電容量方式のタッチパッドを用いている。左右のタッチパッド３は、検出した結果を示す検出情報Ｓ１及び検出情報Ｓ３を制御部６０に出力する。
【００２９】
ユーザは、例えば、タッチパッド３に対してプッシュ操作を行うことによって選択の決定（選択決定）を行うことができる。
【００３０】
タッチパッド３の操作面３０ａは、例えば、図３（ａ）及び図３（ｂ）の紙面において点線によってメニュー入力領域３０１とダイレクト入力領域３０２とに分かれている。なお図３（ａ）及び図３（ｂ）に示す点線は、説明のために付された線であって実際に付された線ではない。このメニュー入力領域３０１とダイレクト入力領域３０２を分かつ線は、印刷などで操作面３０ａに形成されても良い。またダイレクト入力領域３０２のマークは、操作可能な機能を模して示したものであり、印刷によって操作面３０ａに設けられている。
【００３１】
ここで右側のタッチパッド３は、図３（ａ）及び図３（ｂ）に示すように、左側のタッチパッド３とメニュー入力領域３０１とダイレクト入力領域３０２とが入れ替わった配置となっている。つまりステアリング８５のリング部８５３側には、ダイレクト入力領域３０２が設定され、基部８５０側には、メニュー入力領域３０１が設定されている。これはステアリング８５を把持した状態でタッチ入力し易い位置にダイレクト入力領域３０２を配置し、操作指を伸ばしてなぞり操作し易い位置にメニュー入力領域３０１を配置したためである。
【００３２】
タッチパッドユニット２ａのタッチパッド３のメニュー入力領域３０１は、図２（ａ）及び図３（ａ）に示すように、表示画面８７０のメニュー表示領域８７４に表示されたメニューリスト８７８を上下にスクロールさせることができる領域である。またタッチパッドユニット２ｂのタッチパッド３のメニュー入力領域３０１は、図２（ａ）及び図３（ｂ）に示すように、表示画面８７０のメニュー表示領域８７６に表示されたメニューリストを上下にスクロールさせることができる領域である。なおメニュー入力領域３０１は、メニューリストなどのスクロールに限定されず、カーソルなどの移動を可能とされても良い。
【００３３】
制御部６０は、ダイレクト入力領域３０２を入力装置２の操作面３０ａの外縁に沿って異なる機能を割り付けた複数の入力領域に分割するように構成されている。この外縁は、図３（ａ）及び図３（ｂ）に示す縁３０ｂ〜縁３０ｅであり、縁３０ｄに沿って複数の入力領域に分割される。
【００３４】
具体的には、タッチパッドユニット２ａのタッチパッド３のダイレクト入力領域３０２は、図２（ａ）及び図３（ａ）に示すように、第１のタッチ領域３０２ａ〜第３のタッチ領域３０２ｃが表示画面８７０のダイレクト表示領域８７５に表示されたアイコン８７５ａ〜アイコン８７５ｃに対応している。ユーザは、タッチパッドユニット２ａ側のダイレクト入力領域３０２のタッチ領域にタッチ入力を行うことでアイコン８７５ａ〜アイコン８７５ｃの中から所望のアイコンを選択することができる。
【００３５】
アイコン８７５ａは、左側のタッチパッド３を介して指示した処理がなされた場合、処理がなされる前の状態に戻ることができる機能が割り付けられている。アイコン８７５ｂは、音量を上げる機能が割り付けられている。アイコン８７５ｃは、音量を下げる機能が割り付けられている。
【００３６】
タッチパッドユニット２ｂのタッチパッド３のダイレクト入力領域３０２は、図２（ａ）及び図３（ｂ）に示すように、第１のタッチ領域３０２ｄ〜第３のタッチ領域３０２ｆが表示画面８７０のダイレクト表示領域８７７に表示されたアイコン８７７ａ〜アイコン８７７ｃに対応している。ユーザは、タッチパッドユニット２ｂのタッチパッド３のダイレクト入力領域３０２の第１のタッチ領域３０２ｄ〜第３のタッチ領域３０２ｆのいずれかにタッチ入力を行うことでアイコン８７７ａ〜アイコン８７７ｃの中から所望のアイコンを選択することができる。
【００３７】
アイコン８７７ａは、右側のタッチパッド３を介して指示した処理がなされた場合、処理がなされる前の状態に戻ることができる機能が割り付けられている。アイコン８７７ｂは、運転補助機能であるオートクルーズコントロール機能が割り付けられている。アイコン８７７ｃは、運転補助機能であるレーンキープアシスト機能が割り付けられている。
【００３８】
制御装置６は、タッチパッド３のダイレクト入力領域３０２に対してタッチ入力に適した絶対座標系を設定する。また制御装置６は、表示装置５の表示に応じてメニュー入力領域３０１に対して相対座標系又は絶対座標系を設定する。制御装置６は、なぞり操作が適した表示である場合、相対座標系をメニュー入力領域３０１に設定し、タッチ入力が適した表示である場合、絶対座標系をメニュー入力領域３０１に設定する。
【００３９】
（スイッチ４の構成）
スイッチ４は、図３（ａ）及び図３（ｂ）に示すように、操作面３０ａの中央付近に配置されている。このスイッチ４は、タッチパッド３の押し下げ、つまり操作面３０ａになされたプッシュ操作を検出するマイクロスイッチである。
【００４０】
スイッチ４は、タッチパッド３と筐体１０とが接触するように弾性力を付加している。従ってスイッチ４は、初期荷重（プリロード）が付加されている。
【００４１】
スイッチ４は、プッシュ操作によってボタン４０が押し込まれてオン状態となり、プッシュ操作が終了するとタッチパッド３の上昇と共にボタン４０が元の位置に戻ってオフ状態となるように構成されている。なおスイッチ４は、マイクロスイッチのような機械式スイッチに限定されず、磁気センサなどを用いた非接触スイッチやプッシュ操作に伴う荷重を検出することでプッシュ操作を検出する荷重センサなどであっても良い。
【００４２】
スイッチ４は、オン状態となるとスイッチ信号を制御装置６に出力する。タッチパッドユニット２ａのスイッチ４は、スイッチ信号Ｓ２を制御装置６に出力する。またタッチパッドユニット２ｂのスイッチ４は、スイッチ信号Ｓ４を制御装置６に出力する。
【００４３】
（表示装置５の構成）
表示装置５は、有機ＥＬ（＝Electro-Luminescence）ディスプレイ、液晶ディスプレイやヘッドアップディスプレイなどである。本実施の形態の表示装置５は、上述のように、ヘッドアップディスプレイ８７である。
【００４４】
ヘッドアップディスプレイ８７の表示画面８７０は、図２（ａ）に示すように、左表示領域８７１、右表示領域８７２及び中央表示領域８７３を有している。
【００４５】
左表示領域８７１は、ステアリング８５の左側に配置されたタッチパッド３に対応した表示領域である。この左表示領域８７１は、メニュー表示領域８７４と、ダイレクト表示領域８７５と、を備えている。
【００４６】
メニュー表示領域８７４は、タッチパッドユニット２ａのメニュー入力領域３０１になされた操作に基づいてメニュー、アイコン及びカーソルなどを表示する領域である。
【００４７】
ダイレクト表示領域８７５は、タッチパッドユニット２ａのダイレクト入力領域３０２の第１のタッチ領域３０２ａ〜第３のタッチ領域３０２ｃに対応する表示を行う領域である。
【００４８】
右表示領域８７２は、ステアリング８５の右側に配置されたタッチパッド３に対応した表示領域である。この右表示領域８７２は、メニュー表示領域８７６と、ダイレクト表示領域８７７と、を備えている。
【００４９】
メニュー表示領域８７６は、タッチパッドユニット２ｂのメニュー入力領域３０１になされた操作に基づいてメニュー、アイコン及びカーソルなどを表示する領域である。
【００５０】
ダイレクト表示領域８７７は、タッチパッドユニット２ｂのダイレクト入力領域３０２の第１のタッチ領域３０２ｄ〜第３のタッチ領域３０２ｆに対応する表示を行う領域である。
【００５１】
ユーザは、左右のタッチパッド３のメニュー入力領域３０１に操作を行うことにより、メニュー表示領域８７４及びメニュー表示領域８７６に表示されたアイコンの選択及び決定、メニューのスクロール、カーソルの操作などを行うことができる。
【００５２】
またユーザは、左右のタッチパッド３のダイレクト入力領域３０２に操作を行うことにより、ダイレクト表示領域８７５及びダイレクト表示領域８７７に表示されたアイコンを選択、決定することができる。
【００５３】
中央表示領域８７３は、入力装置２によって選択、決定された機能に関する画像８７３ａが表示される。
【００５４】
（制御装置６の構成）
制御装置６の制御部６０は、例えば、記憶されたプログラムに従って、取得したデータに演算、加工などを行うＣＰＵ（＝Central Processing Unit）、半導体メモリであるＲＡＭ（＝Random Access Memory）６１及びＲＯＭ（＝Read Only Memory）などから構成されるマイクロコンピュータである。このＲＯＭには、例えば、制御部６０が動作するためのプログラムが格納されている。ＲＡＭ６１は、例えば、一時的に演算結果などを格納する記憶領域として用いられる。またＲＡＭ６１は、操作対象装置８９から取得した、表示装置５に表示させる画像の情報である画像情報８９０を記憶する。
【００５５】
制御部６０は、取得した画像情報８９０に基づいて表示制御情報Ｓ５を生成して表示装置５を制御する。表示装置５は、表示制御情報Ｓ５に基づいて画像を表示させる。本実施の形態の表示装置５は、ヘッドアップディスプレイ８７であるので、表示制御情報Ｓ５に基づいて表示画面８７０に画像を表示する。
【００５６】
制御部６０は、タッチパッド３のダイレクト入力領域３０２には絶対座標系を設定し、画面遷移が生じても座標系を変更しない。一方制御部６０は、メニュー入力領域３０１には画面遷移に応じて適した入力領域となる座標系を設定する。
【００５７】
ユーザは、図２（ａ）に示すように、電話が選択された状態で左側のタッチパッド３の操作面３０ａにプッシュ操作を行うと、画面遷移によって図４（ａ）に示す連絡先リスト８７１ｂが左表示領域８７１に表示される。
【００５８】
このタブ８７１ａには、図４（ａ）に示すように、連絡先リスト８７１ｂとして「Ａ」〜「Ｅ」が表示されると共に細長いスクロールインジケータ８７１ｃが表示される。スクロールインジケータ８７１ｃは、表示されているリストの全体に対する位置を表示するものである。
【００５９】
上述のように、連絡先リスト８７１ｂは、表示されている連絡先以外にも多くの連絡先があるので、制御部６０は、なぞり操作を受け付けるように左側のタッチパッド３を制御する。この左側のタッチパッド３のメニュー表示領域８７４には、相対座標系が設定される。
【００６０】
ユーザは、図４（ｂ）に示すように、ステアリング８５を把持した状態で操作指９０（例えば、親指）によって操作面３０ａに対して上下になぞり操作を行い、連絡先リスト８７１ｂをスクロールして所望の連絡先を表示させる。
【００６１】
またユーザは、クルーズコントロール機能を実行するため、右側のタッチパッド３のダイレクト入力領域３０２の第２のタッチ領域３０２ｅにタッチ入力の後、プッシュ操作を行うと、画面遷移によって図４（ｃ）に示すアイコン８７２ｂ〜アイコン８７２ｅが右表示領域８７２に表示される。このアイコン８７２ｂ〜アイコン８７２ｅは、二行二列で表示される。
【００６２】
アイコン８７２ｂ〜アイコン８７２ｅには、設定キャンセル機能、設定速度を上げる機能、設定速度を下げる機能、及び車間距離設定機能が割り付けられている。このアイコン８７２ｂ〜アイコン８７２ｅは、タッチ入力と、その後のプッシュ操作によってその機能が実行される。なおアイコン８７２ｃとアイコン８７２ｄの間には、決定前の速度の画像が表示されている。
【００６３】
制御部６０は、取得した画像情報８９０に基づく画面遷移に対応するため、メニュー入力領域３０１に設定された座標系を相対座標系からアイコンの位置関係に応じてタッチ入力がし易い絶対座標系に切り替える。
【００６４】
制御部６０は、図４（ｄ）に点線で示す境界３０ｆによってメニュー入力領域３０１を第１の入力領域３０１ａ〜第４の入力領域３０１ｄに分割してアイコン８７２ｂ〜アイコン８７２ｅに対応付ける。第１の入力領域３０１ａは、アイコン８７２ｂの表示位置に対応させるため、アイコン８７２ｂの表示位置と同様に右上に設けられている。また制御部６０は、第２の入力領域３０１ｂ〜第４の入力領域３０１ｄに対してもアイコン８７２ｃ〜アイコン８７２ｅの表示位置に対応させる。
【００６５】
このように、図２（ａ）及び図２（ｂ）に示すように、タッチパッド３のメニュー入力領域３０１がメニュー表示領域８７４及びメニュー表示領域８７６に対応し、ダイレクト入力領域３０２がダイレクト表示領域８７５及びダイレクト表示領域８７７に対応しているので、ユーザが直感的に操作することができる。
【００６６】
以下では、制御システム１の動作の一例について図５のフローチャートに従って説明する。なお以下では、図２（ａ）に示すメニューリスト８７８から電話が選択され、メニュー表示領域８７４にタブが表示された後の動作について説明する。
【００６７】
（動作）
制御装置６の制御部６０は、タッチパッドユニット２ａ及びタッチパッドユニット２ｂから検出情報Ｓ１及び検出情報Ｓ３を取得し、操作がなされるか監視する。制御部６０は、例えば、ステップ１の「Ｙｅｓ」が成立する、つまり操作が検出されると（Ｓｔｅｐ１：Ｙｅｓ）、操作情報Ｓ６を操作対象装置８９に出力する。操作対象装置８９は、操作情報Ｓ６に基づいて画面遷移のための画像情報８９０を制御部６０に出力する。
【００６８】
制御部６０は、画像情報８９０を取得すると、画面遷移させる（Ｓｔｅｐ２）。そして制御部６０は、画面遷移後の表示画面８７０に適した入力領域となるように設定し（Ｓｔｅｐ３）、処理を終了する。
【００６９】
（実施の形態の効果）
本実施の形態に係る制御システム１は、直感的に操作することができる。具体的には、制御システム１は、表示画面に適した操作方法となるように入力装置２の入力領域を制御するので、表示画面と入力領域とが対応していない場合と比べて、入力領域に対する視線の移動を抑えながら直感的に操作することができる。
【００７０】
以上、本発明のいくつかの実施の形態及び変形例を説明したが、これらの実施の形態及び変形例は、一例に過ぎず、特許請求の範囲に係る発明を限定するものではない。これら新規な実施の形態及び変形例は、その他の様々な形態で実施されることが可能であり、本発明の要旨を逸脱しない範囲で、種々の省略、置き換え、変更などを行うことができる。また、これら実施の形態及び変形例の中で説明した特徴の組合せの全てが発明の課題を解決するための手段に必須であるとは限らない。さらに、これら実施の形態及び変形例は、発明の範囲及び要旨に含まれると共に、特許請求の範囲に記載された発明とその均等の範囲に含まれる。
【符号の説明】
【００７１】
１…制御システム、２…入力装置、２ａ，２ｂ…タッチパッドユニット、３…タッチパッド、４…スイッチ、５…表示装置、６…制御装置、８…車両、１０…筐体、３０…本体、３０ａ…操作面、３０ｂ〜３０ｅ…縁、３０ｆ…境界、４０…ボタン、６０…制御部、８０ａ…運転席、８０ｂ…助手席、８１ａ…フロアコンソール、８１ｂ…センターコンソール、８１ｃ…インストルメントパネル、８１ｄ…ドアトリム、８２…タッチパッド、８３…メータパネル、８４…メータディスプレイ、８５…ステアリング、８６…メインディスプレイ、８７…ヘッドアップディスプレイ、８８…フロントガラス、８９…操作対象装置、９０…操作指、３０１…メニュー入力領域、３０１ａ〜３０１ｄ…第１の入力領域〜第４の入力領域、３０２…ダイレクト入力領域、３０２ａ〜３０２ｃ…第１のタッチ領域〜第３のタッチ領域、３０２ｄ〜３０２ｆ…第１のタッチ領域〜第３のタッチ領域、８５０…基部、８５１，８５２…スポーク部、８５３…リング部、８７０…表示画面、８７１…左表示領域、８７１ｂ…連絡先リスト、８７１ｃ…スクロールインジケータ、８７２…右表示領域、８７２ｂ〜８７２ｅ…アイコン、８７３…中央表示領域、８７３ａ…画像、８７４…メニュー表示領域、８７５…ダイレクト表示領域、８７５ａ〜８７５ｃ…アイコン、８７６…メニュー表示領域、８７７…ダイレクト表示領域、８７７ａ〜８７７ｃ…アイコン、８７８…メニューリスト、８８０…ルームミラーモニタ、８９０…画像情報
【図１】
2020160790.tif 000003
【図２】
2020160790.tif 000004
【図３】
2020160790.tif 000005
【図４】
2020160790.tif 000006
【図５】
2020160790.tif 000007